(57)【特許請求の範囲】
【請求項１】
受信装置と、この受信装置に伝送路を介して接続された送信装置とからなる再送信システムにおいて、
前記受信装置は、
多チャンネルの地上デジタルテレビジョン放送信号を前記送信装置に伝送可能に処理して、前記送信装置に供給する多チャンネル処理手段と、
特定の単チャンネルの地上デジタルテレビジョン放送信号を前記送信装置に伝送可能に処理して、前記送信装置に供給する単チャンネル処理手段とを、
具備し、前記送信装置は、
前記受信装置から伝送された前記受信側多チャンネル処理手段からの信号をテレビジョン受信機で受信可能に処理して送信アンテナに供給する多チャンネル処理手段と、
前記受信装置から伝送された前記受信側単チャンネル処理手段からの信号を前記テレビジョン受信機で受信可能に処理して前記送信アンテナに供給する単チャンネル処理手段とを、
具備し、
前記伝送路に１台の無停電電源装置が設けられ、前記無停電電源装置は、商用交流電源が動作時には前記商用交流電源に基づく動作電流を前記伝送路を介して前記受信装置及び前記送信装置に供給し、前記商用交流電源が非動作時にはバッテリーにより動作電流を前記伝送路を介して前記受信装置及び前記送信装置に供給し、
前記受信装置には、前記受信装置の多チャンネル処理手段から前記受信装置の単チャンネル処理手段に前記動作電流の供給を切り換える電源切換手段が設けられ、
前記送信装置には、前記送信装置の多チャンネル処理手段から前記送信装置の単チャンネル処理手段に前記動作電流の供給を切り換える電源切換手段が設けられ、
前記商用交流電源が非作動時に停電を検出する停電検出手段が設けられ、
前記停電検出手段の停電検出に応じて、前記受信装置及び前記送信装置の一方にある前記電源切換手段が、前記受信装置及び前記送信装置の一方にある多チャンネル処理手段から、前記受信装置及び前記送信装置の一方にある前記単チャンネル処理手段に、前記動作電流の供給を切り換え、前記停電検出手段の停電検出に応じて制御信号発生手段が前記受信装置及び前記送信装置の他方に対して前記伝送路を介して制御信号を伝送し、前記受信装置及び前記送信装置の他方は、前記制御信号の検出手段を有し、前記制御信号の検出手段が前記制御信号を検出したとき、前記受信装置及び前記送信装置の他方にある前記電源切換手段が、前記受信装置及び前記送信装置の他方にある前記多チャンネル処理手段から、前記受信装置及び前記送信装置の他方にある前記単チャンネル処理手段に、前記動作電流の供給を切り換える
再送信システム。
【請求項２】
受信装置と、この受信装置に伝送路を介して接続された送信装置とからなる再送信システムにおいて、
前記受信装置は、
多チャンネルの地上デジタルテレビジョン放送信号を前記送信装置に伝送可能に処理して、前記送信装置に供給する受信側多チャンネル処理手段と、
特定の単チャンネルの地上デジタルテレビジョン放送信号を前記送信装置に伝送可能に処理して、前記送信装置に供給する受信側単チャンネル処理手段とを、
具備し、前記送信装置は、
前記受信装置から伝送された前記受信側多チャンネル処理手段からの信号をテレビジョン受信機で受信可能に処理して送信アンテナに供給する送信側多チャンネル処理手段と、
前記受信装置から伝送された前記受信側単チャンネル処理手段からの信号を前記テレビジョン受信機で受信可能に処理して前記送信アンテナに供給する送信側単チャンネル処理手段とを、
具備し、
商用交流電源が動作時には前記商用交流電源に基づく動作電流を前記伝送路を介して前記受信装置に供給し、前記商用交流電源が非動作時にはバッテリーにより動作電流を前記伝送路を介して前記受信装置に供給する受信側無停電電源装置が、前記受信装置に設けられ、
商用交流電源が動作時には前記商用交流電源に基づく動作電流を前記伝送路を介して前記送信装置に供給し、前記商用交流電源が非動作時にはバッテリーにより動作電流を前記伝送路を介して前記送信装置に供給する送信側無停電電源装置が、前記送信装置に設けられ、
前記受信装置には、前記受信側多チャンネル処理手段から前記受信側単チャンネル処理手段に前記動作電流の供給を切り換える受信側電源切換手段が設けられ、
前記送信装置には、前記送信側多チャンネル処理手段から前記送信側単チャンネル処理手段に前記動作電流の供給を切り換える送信側電源切換手段が設けられ、
前記受信側無停電電源装置の商用交流電源が非作動時に停電を検出する受信側停電検出手段が設けられ、
前記送信側無停電電源装置の商用交流電源が非作動時に停電を検出する送信側停電検出手段が設けられ、
前記受信側停電検出手段の停電検出に応じて、前記受信側電源切換手段が、前記受信側多チャンネル処理手段から、前記受信側単チャンネル処理手段に、前記動作電流の供給を切り換え、前記送信側停電検出手段の停電検出に応じて、前記送信側電源切換手段が、前記送信側多チャンネル処理手段から、前記送信側単チャンネル処理手段に、前記動作電流の供給を切り換える
再送信システム。
【発明の詳細な説明】
【技術分野】
【０００１】
本発明は、再送信システムに関し、特に、停電時への対策を施したものに関する。
【背景技術】
【０００２】
従来、再送信システムには、例えば特許文献１に開示されているようなものがある。特許文献１の技術によれば、受信アンテナで受信したテレビジョン放送信号が受信増幅器で増幅され、伝送路上に供給される。伝送路上には、複数の分岐装置が配置され、これら分岐装置を介して、放送電波を再送信すべき領域ごとに設置された送信増幅器にテレビジョン放送信号が伝送され、送信増幅器で増幅され、送信アンテナから送信される。各分岐装置は、商用電源から直流定電圧を生成する定電圧回路を備え、この直流定電圧を各送信増幅器に電源として供給する。
【先行技術文献】
【特許文献】
【０００３】
【特許文献１】特開２００７−１５８３９２号公報
【発明の概要】
【発明が解決しようとする課題】
【０００４】
特許文献１の技術によれば、商用電源から生成された直流定電圧を各送信増幅器に電源として供給するので、停電が生じた場合、送信増幅器が動作せず、再送信が不可能になる。
【０００５】
この問題は、例えば各分岐装置に無停電電源装置を設置すれば解決できる。しかし、全てのチャンネルのテレビジョン放送信号を再送信できるように送信増幅器に動作電力を供給する場合、無停電電源装置の容量を大きくしなければ、短時間しか再送信を維持することができず、無停電電源装置の容量を大きくすれば、コストが上昇する。
【０００６】
本発明は、停電が生じても、低コストで再送信を維持することができる再送信システムを提供することを目的とする。
【課題を解決するための手段】
【０００７】
本発明の一態様の再送信システムは、受信装置と、この受信装置が接続された送信装置とを有している。前記受信装置は、受信側多チャンネル処理手段と受信側単チャンネル処理手段とを有している。受信側多チャンネル処理手段は、多チャンネルの地上デジタルテレビジョン放送信号を前記送信装置に伝送可能に処理して、前記送信装置に供給する。受信側単チャンネル処理手段は、特定の単チャンネルの地上デジタルテレビジョン放送信号を前記送信装置に伝送可能に処理して、前記送信装置に供給する。これら処理手段が行う処理としては、地上デジタルテレビジョン放送信号の増幅または周波数変換がある。前記送信装置は、送信側多チャンネル処理手段と、送信側単チャンネル処理手段とを、具備している。送信側多チャンネル処理手段は、前記受信装置から伝送された前記受信側多チャンネル処理手段からの信号をテレビジョン受信機で受信可能に処理して送信アンテナに供給する。送信側単チャンネル処理手段は、前記受信装置から伝送された前記受信側単チャンネル処理手段からの信号を前記テレビジョン受信機で受信可能に処理して前記送信アンテナに供給する。これら処理手段における処理としては、増幅または元の地上デジタルテレビジョン放送信号への周波数変換がある。前記伝送路に１台の無停電電源装置が設けられ、この無停電電源装置は、商用交流電源が動作時には前記商用交流電源に基づく動作電流を前記伝送路を介して前記受信装置及び前記送信装置に供給し、前記商用交流電源が非動作時にはバッテリーにより動作電流を前記伝送路を介して前記受信装置及び前記送信装置に供給する。前記受信装置には、前記受信装置の多チャンネル処理手段から前記受信装置の単チャンネル処理手段に前記動作電流の供給を切り換える電源切換手段が設けられ、前記送信装置には、前記送信装置の多チャンネル処理手段から前記送信装置の単チャンネル処理手段に前記動作電流の供給を切り換える電源切換手段が設けられている。前記商用交流電源が非作動時に停電を検出する停電検出手段が設けられている。前記停電検出手段の停電検出に応じて、前記受信装置及び前記送信装置の一方にある電源切換手段が、前記受信装置及び前記送信装置の一方にある多チャンネル処理手段から、前記受信装置及び前記送信装置の一方にある前記単チャンネル処理手段に、前記動作電流の供給を切り換える。前記停電検出手段の停電検出に応じて、制御信号発生手段が前記受信装置及び前記送信装置の他方に対して前記伝送路を介して制御信号を伝送する。前記受信装置及び前記送信装置の他方は、前記制御信号の検出手段を有し、前記制御信号の検出手段が前記制御信号を検出したとき、前記受信装置及び前記送信装置の他方にある電源切換手段が、前記受信装置及び前記送信装置の他方にある前記多チャンネル処理手段から、前記受信装置及び前記送信装置の他方にある前記単チャンネル処理手段に、前記動作電流の供給を切り換える
。
【０００８】
このように構成された再送信システムでは、停電時には１波の地上デジタルテレビジョン放送信号のみが再送信される。従って、停電時の無停電電源部から供給する必要のある電力を減少させることができ、無停電電源部が備えるバッテリーを小型化することができ、コストを低減させることができる。
【０００９】
本発明の他の態様の再送信システムも、上記一態様の再送信システムと同様に、受信装置と、送信装置を有し、前記受信装置も、受信側多チャンネル処理手段と、受信側単チャンネル処理手段とを、有している。前記送信装置も、送信側多チャンネル処理手段と、送信側単チャンネル処理手段とを、有している。受信装置と送信装置とに、それぞれ無停電原原装置が設けられている。受信側無停電原原装置は、商用交流電源が動作時には前記商用交流電源に基づく動作電流を前記伝送路を介して前記受信装置に供給し、前記商用交流電源が非動作時にはバッテリーにより動作電流を前記伝送路を介して前記受信装置に供給する。送信側無停電電源装置は、商用交流電源が動作時には前記商用交流電源に基づく動作電流を前記伝送路を介して前記送信装置に供給し、前記商用交流電源が非動作時にはバッテリーにより動作電流を前記伝送路を介して前記送信装置に供給する。前記受信装置には、前記受信側多チャンネル処理手段から前記受信側単チャンネル処理手段に前記動作電流の供給を切り換える受信側電源切換手段が設けられている。前記送信装置には、前記送信側多チャンネル処理手段から前記送信側単チャンネル処理手段に前記動作電流の供給を切り換える送信側電源切換手段が設けられている。前記受信側無停電電源装置の商用交流電源が非作動時に停電を検出する受信側停電検出手段が設けられ、前記送信側無停電電源装置の商用交流電源が非作動時に停電を検出する送信側停電検出手段が設けられている。前記受信側停電検出手段の停電検出に応じて、前記受信側電源切換手段が、前記受信側多チャンネル処理手段から、前記受信側単チャンネル処理手段に、前記動作電流の供給を切り換える。前記送信側停電検出手段の停電検出に応じて、前記送信側電源切換手段が、前記送信側多チャンネル処理手段から、前記送信側単チャンネル処理手段に、前記動作電流の供給を切り換える。
【発明の効果】
【００１１】
以上のように、本発明によれば、停電時に特定の１波の地上デジタルテレビジョン放送信号を伝送することができ、しかも、無停電電源部の省電力化を図ることができる。
【図面の簡単な説明】
【００１２】
【図１】本発明の１実施形態の再送信システムのブロック図である。
【発明を実施するための形態】
【００１３】
本発明の１実施形態の再送信システムは、いわゆるギャップフィラーシステムであり、図１に示すように、共同受信システム２を利用したものである。
【００１４】
共同受信システム２は、ＶＨＦ帯の複数の地上アナログテレビジョン放送信号を受信アンテナ４で受信し、ヘッドアンプ６で増幅して、伝送線路、例えば同軸ケーブル８に供給する。同軸ケーブル８中には、中継増幅手段、例えば幹線分岐増幅器１０、幹線増幅器１２等が設けられ、分岐手段、例えば分岐器１４、１４・・・によって分岐され、図示していない複数の端末に伝送している。これら端末には、図示していないテレビジョン受信機が接続され、これによって地上アナログテレビジョン放送が視聴される。幹線分岐増幅器１０は、無停電電源部１６に接続され、この無停電電源装置１６から、非停電時には、商用電源１８の１００Ｖの電圧を３０乃至６０Ｖの交流電圧に変圧したものが幹線分岐増幅器１０に供給される。この交流電圧は、同軸ケーブル８を介してヘッドアンプ６や幹線増幅器１２に供給され、これらを動作させる。また、停電時には、無停電電源部１６内に設けられたバッテリーからの直流電圧を３０乃至６０Ｖの交流電圧に変換した電圧が、同軸ケーブル８を介してヘッドアンプ６や幹線分岐増幅器１０、幹線増幅器１２に供給され、これらを動作させている。なお、地上アナログテレビジョン放送が停波した後には、ヘッドアンプ６は動作を停止させられる。
【００１５】
このような共同受信システム２に、再送信システムの受信装置２０が接続されている。受信装置２０には、受信アンテナ２２が設けられている。この受信アンテナ２２は、ＵＨＦ帯の複数波の地上デジタルテレビジョン放送を受信可能なものである。
【００１６】
受信アンテナ２２の受信信号のうち特定の１波の地上デジタルテレビジョン放送信号が抽出手段、例えばバンドパスフィルタ２４によって抽出され、単チャンネル増幅器２６に供給され、ここで増幅される。バンドパスフィルタ２４及び単チャンネル増幅器２６によって単チャンネル処理手段が構成されている。
【００１７】
また、各地上デジタルテレビジョン放送信号のうち特定の１波を含む複数波の地上デジタルテレビジョン放送信号が抽出手段、例えばバンドパスフィルタ２８によって抽出され、多チャンネル増幅器３０に供給され、ここで増幅される。バンドパスフィルタ２８及び多チャンネル増幅器３０によって多チャンネル処理手段が構成されている。
【００１８】
これら単チャンネル増幅器２６及び多チャンネル増幅器３０の出力信号は、合成器３２によって合成され、分波合成器３４を介して分波合成器３６に供給され、ＶＨＦ帯の地上アナログテレビジョン放送信号と合成され、同軸ケーブル８に供給される。
【００１９】
単チャンネル増幅器２６及び多チャンネル増幅器３０も、同軸ケーブル８を介して無停電電源装置１６から供給される動作電流で動作している。即ち、分波合成器３４から出力される交流電圧は受信側電源部３８に供給され、ここで直流電圧に変換されて、単チャンネル増幅器２６及び多チャンネル増幅器３０に供給されている。但し、単チャンネル増幅器２６、３０には、受信側電源切換手段、例えば切換スイッチ４０を介していずれか一方に受信側電源部３８から動作電流が供給される。
【００２０】
この切換スイッチ４０は、停電検出手段、例えば監視回路４２によって制御される。監視回路４２は、商用電源１８を監視しており、非停電時には多チャンネル増幅器３０に動作電流を供給するように切換スイッチ４０を切り換え、停電が生じたときに、単チャンネル増幅器２６に動作電流を供給するように切換スイッチ４０を切り換える。従って、停電が生じたとき、無停電電源部１６から交流電圧が受信側電源部３８に供給され、単チャンネル増幅器２６は動作し、特定の１波の地上デジタルテレビジョン放送信号は同軸ケーブル８に伝送されるが、多チャンネル増幅器３０は動作せず、複数波の地上デジタルテレビジョン放送信号は同軸ケーブル８には伝送されない。
【００２１】
受信装置２０には、各地上デジタルテレビジョン放送信号及び地上アナログテレビジョン放送信号とは異なる周波数の制御信号発生器４４が設けられており、この制御信号発生器４４の出力は、開閉手段、例えば開閉スイッチ４６を介して分波合成器３４に供給されている。開閉スイッチ４６は、通常は開かれており、監視回路４２が停電を検出したときに、監視回路４２によって閉じられる。従って、制御信号が分波合成器３４、３６を介して同軸ケーブル８に伝送される。
【００２２】
なお、監視回路４２が停電を検出したときに制御信号発生器４４を動作させるように構成することもできる。この場合、開閉スイッチ４６は不要である。また、制御信号発生器４４、監視回路４２は、受信側電源部３８によって動作している。
【００２３】
図１には、１台しか示していないが、複数台の送信装置５０が再送信システムの一部として設けられている。送信装置５０は、分岐器１４の１分岐端子に接続されており、分波合成器５２を有し、これから抽出された各地上デジタルテレビジョン放送信号及び各地上アナログテレビジョン放送信号が抽出手段、例えばバンドパスフィルタ５４によって抽出され、信号切換手段、例えば切換スイッチ５６の接触子５６ａに供給される。切換スイッチ５６は、接点５６ｂ、５６ｃを有し、これらのいずれか一方に接触子５６ａが接触している。
【００２４】
接点５６ｂには、送信側多チャンネル信号処理手段、例えば多チャンネル信号処理ブロック５８の入力側が接続されている。多チャンネル信号処理ブロック５８は、入力された地上デジタルテレビジョン放送信号及び地上アナログテレビジョン放送信号のうち、特定の１波の地上デジタルテレビジョン放送信号を含む複数波の地上デジタルテレビジョン放送信号を抽出して増幅し、出力するものである。
【００２５】
接点５６ｃには、単チャンネル信号処理手段、例えば単チャンネル信号処理ブロック６０の入力側が接続されている。単チャンネル信号処理ブロック６０は、切換スイッチ５６を介して供給された地上アナログテレビジョン放送信号や複数波の地上デジタルテレビジョン放送信号を周波数変換手段によって周波数変換し、そのうち特定の１波の地上デジタルテレビジョン放送信号に対応するものを、選択性の鋭い抽出手段によって抽出し、抽出された信号を別の周波数変換手段によって、特定の１波の地上デジタルテレビジョン放送信号に再度周波数変換して増幅し、出力するものである。これによって、確実に特定の１波の地上デジタル放送信号のみを抽出することができる。
【００２６】
多チャンネル信号処理ブロック５８と単チャンネル信号処理ブロック６０の出力側に信号切換手段、例えば切換スイッチ６２が設けられている。切換スイッチ６２も、接触子６２ａと接点６２ｂ、６２ｃを有するもので、多チャンネル信号処理ブロック５８の出力側が接点６２ｂに接続され、単チャンネル信号処理ブロック６０の出力側が接点６２ｃに接続されている。接点６２ｂ、６２ｃのいずれか一方に接触する接触子６２ａは、抽出手段、例えば地上デジタルテレビジョン放送信号を通過させる通過帯域を有するバンドパスフィルタ６４を介して送信アンテナ６６に接続されている。
【００２７】
切換スイッチ５６、６２の切換は、上述したように停電が生じている場合に同軸ケーブル８を伝送される制御信号発生器４４の制御信号の有無によって行われる。即ち、分波合成器５２には、制御信号を抽出する抽出手段、例えばバンドパスフィルタ６８が接続され、制御信号が同軸ケーブル８を伝送されているとき、バンドパスフィルタ６８が制御信号を抽出し、信号検出手段、例えば検波器７０に供給し、検波器７０は検出信号を生成する。この検出信号が非発生のとき、切換スイッチ５６、６２の接触子５６ａ、６２ａは、接点５６ｂ、６２ｂに接触しているが、検出信号が生成されると、切換スイッチ５６、６２の接触子５６ａ、６２ａは、接点５６ｃ、６２ｃに切り換えられる。
【００２８】
多チャンネル信号処理ブロック５８、単チャンネル信号処理ブロック６０のいずれか一方には、送信側電源部７２からの直流動作電流が送信側電源切換手段、例えば送信側電源切換スイッチ７４を介して供給され、動作する。即ち、送信側電源部７２には分波合成器５２から抽出された交流電圧が供給され、これに基づいて直流電圧が生成され、送信側電源切換スイッチ７４に供給されている。送信側電源切換スイッチ７４は、検波器７０が制御信号を検出していないとき、多チャンネル信号処理ブロック５８に動作電流を供給し、制御信号を検出しているときには、単チャンネル信号処理ブロック６０に動作電流を供給する。
【００２９】
従って、非停電時には、切換スイッチ５６、６２、送信側電源切換スイッチ７４の切換によって、多チャンネル信号処理ブロック５８が動作し、かつ同軸ケーブル８を伝送されてきた複数波の地上デジタルテレビジョン放送信号及び地上アナログテレビジョン放送信号が多チャンネル信号処理ブロック５８に供給され、これらのうち地上デジタルテレビジョン放送信号が抽出増幅され、バンドパスフィルタ６４を介して送信アンテナ６６から送信される。停電時には、単チャンネル信号処理ブロック６０が動作し、かつ同軸ケーブル８を伝送されてきた地上アナログテレビジョン放送信号及び特定の１波の地上デジタルテレビジョン放送信号が単チャンネル信号処理ブロック６０に供給され、特定の１波の地上デジタルテレビジョン放送信号が抽出増幅され、バンドパスフィルタ６４を介して送信アンテナ６６から送信される。  
【００３０】
非停電時には、地上アナログ放送信号がヘッドアンプ６で受信増幅され、共同受信システム２を介して各端末に伝送され、各端末に接続されているテレビジョン受信機によって視聴可能である。また、受信アンテナ２２で受信された各地上デジタルテレビジョン放送信号は、多チャンネル増幅器３０で増幅され、同軸ケーブル８を伝送され、分波合成器５２から２分配され、多チャンネル信号処理ブロック５８で増幅され、送信アンテナ６６から再送信されている。
【００３１】
停電が生じると、無停電電源部１６からの交流電圧が、幹線分岐増幅器１０、幹線増幅器１２に供給され、これらが動作し、同軸ケーブル８でのテレビジョン放送信号の伝送は可能である。そして、受信側電源部３８及び送信側電源部６８にも、無停電電源部１６からの交流電圧が供給される。また、監視回路４２が停電を検出し、受信側電源切換スイッチ４０が切り換えられ、単チャンネル増幅器２６が動作し、同時に開閉スイッチ４６が閉じられ、制御信号が同軸ケーブル８を伝送され、送信装置５０に供給される。この制御信号が、検波器７０によって検出されるので、受信側電源切換スイッチ７４が切り換えられ、単チャンネル信号処理ブロック６０に動作電流が供給され、単チャンネル信号処理ブロック６０が動作し、同時に切換スイッチ５６、６２が切り換えられ、動作している単チャンネル信号処理ブロック６０によって特定の１波の地上デジタルテレビジョン放送信号が出力される。従って、停電時にも、特定の１波の地上デジタルテレビジョン放送信号の再送信が継続される。
【００３２】
無停電電源部１６が設けられているので、停電が生じた場合でも、各地上デジタルテレビジョン放送信号を再送信することは可能である。しかし、停電時でも、全地上デジタルテレビジョン放送信号を或る程度の時間にわたって再送信することを継続しようとした場合、無停電電源部１６が備えるバッテリーは大容量のものとしなければならず、コストが増大する。そこで、特定の１波の地上デジタルテレビジョン放送信号のみを再送信するようにして、電力消費を低減させて、無停電電源部１６が備えるバッテリーの容量が小さくできるようにしてある。また、停電が災害等によって生じた場合でも、１波だけでも再送信されていれば、その１波によって災害についての情報を入手できる。
【００３３】
上記の実施形態では、１台の無停電電源部１６からの動作電力によって、受信装置２０の単チャンネル増幅器２６、送信装置５０の単チャンネル増幅器５を動作させることによって、受信装置２０及び送信装置５０に個別に無停電電源部を設ける手間を省いたが、手間を厭わなければ、受信装置２０及び送信装置５０にそれぞれ無停電電源部を設けることもできる。この場合、受信装置２０の無停電電源部に対して監視回路４２を設けるのと同様に、送信装置５０の無停電電源部に対しても監視回路４２を別個に設ければ、制御信号発生回路は不要になる。また、上記の実施形態では、受信装置側に監視回路４２及び制御信号発生器４４を設けたが、複数の送信装置のいずれかに監視回路及び制御信号発生器を設けてもよい。その場合、受信装置にバンドパスフィルタ６８及び検波器７０を設ける。上記の実施形態では、受信装置側から各地上デジタルテレビジョン放送信号をそのまま伝送したが、共同受信システム２が地上デジタルテレビジョン放送信号をそのまま伝送不能なものであれば、受信装置２０側でミッドバンド帯に周波数変換して伝送し、送信装置５０側で元の地上デジタルテレビジョン放送信号に変換することも可能である。この場合、受信装置２０側では、バンドパスフィルタ２４と単チャンネル増幅器２６との間、バンドパスフィルタ２８と多チャンネル増幅器３０との間に、ミッドバンドへの周波数変換手段を設け、送信装置５０側では、多チャンネル信号処理ブロック５８及び単チャンネル信号処理ブロック６０にミッドバンドから元の地上デジタルテレビジョン放送信号に周波数変換する周波数変換手段をそれぞれ設ける。
【符号の説明】
【００３４】
２  共同受信システム
１６  無停電電源部
２０  受信装置
２６  受信側単チャンネル増幅器（受信側単チャンネル処理手段）
３０  受信側多チャンネル増幅器（受信側多チャンネル処理手段）
５０  送信装置
５８  多チャンネル信号処理ブロック（送信側多チャンネル処理手段）
６０  単チャンネル信号処理ブロック（送信側単チャンネル処理手段）
【図１】
0005404304.tif 000002